(57)【要約】【課題】本発明の課題は、プリベードカードに容易で簡便に使用できるＰＩＮを設定するシステムを提供することである。【解決手段】プリペイドカードにＰＩＮ(Personal Identification Number)を設定し、設定したＰＩＮを該当プリペイドカード使用者に伝えるためのプリペイドカード用ＰＩＮ設定システムであって、ＰＩＮ設定可能なプリペイドカードと共にプリペイドカード使用者に渡る印刷媒体とからなり、所定のＰＩＮを前記プリペイドカードに不可視記録するＰＩＮ設定装置と、ＰＩＮを構成し得る文字情報と文字連想可視情報を対応付ける対応データを記憶する記憶手段と、前記記憶された所定のＰＩＮを構成する文字列情報に対応する文字連想可視情報を前記印刷媒体へ印刷する印刷手段と、を備えたことを特徴とするプリペイドカード用ＰＩＮ設定システムである。【選択図】図１
2009059012.tif 000002
【特許請求の範囲】
【請求項１】
プリペイドカードにＰＩＮ(Personal Identification Number)を設定し、設定したＰＩＮを該当プリペイドカード使用者に伝えるためのプリペイドカード用ＰＩＮ設定システムであって、
ＰＩＮ設定可能なプリペイドカードと共にプリペイドカード使用者に渡る印刷媒体とからなり、所定のＰＩＮを前記プリペイドカードに不可視記録するＰＩＮ設定装置と、
ＰＩＮを構成し得る文字情報と文字連想可視情報を対応付ける対応データを記憶する記憶手段と、
前記記憶された所定のＰＩＮ文字を構成する文字列情報に対応する文字連想可視情報を前記印刷媒体へ印刷する印刷手段と
を備えたことを特徴とするプリペイドカード用ＰＩＮ設定システム。
【請求項２】
前記文字連想可視情報は、色コードである
ことを特徴とする請求項１に記載のプリペイドカードＰＩＮ設定システム。
【請求項３】
前記プリペイドカードは、文字情報と文字連想可視情報が対応付けられて印刷されている
ことを特徴とする請求項１または請求項２に記載のプリペイドカードＰＩＮ設定システム。
【発明の詳細な説明】
【技術分野】
【０００１】
本発明は、前払いカード（プリベードカード）にＰＩＮを設定するシステムに関するものである。
本発明は、特に贈答用プリベードカード（＝ギフトカード）の利用において有用である。
【背景技術】
【０００２】
現代社会において、取引限度額を定めたプリベードカードは、益々重要な支払手段として興隆を高めているために、様々な利用上の安全対策が採られている。
【０００３】
たとえば、特許文献１では、センターサーバが管理するＰＩＮ番号から任意のひとつを選択して、額面金額（取引限度額）とともに記録するプリペイドカードを発行する技術が開示されている。
あるいは、特許文献２では、カード識別データを有する贈答プリペイドカードにおいて、カード識別データと所望のＰＩＮと支払総額を関連付けて処理センターに登録しておき、利用者が該当する贈答プリペイドカードを支払端末でＰＩＮ入力して利用すると、ネットワーク接続した処理センターにてＰＩＮ認証して支払総額から所望の金額を支払らわせる技術が開示されている。
【特許文献１】特開２００４−１５７５９７号公報（段落００２３−段落００２６、図３）
【特許文献２】特表２００２−５２９０２３号公報（段落００７７、図１０ａ）
【発明の開示】
【発明が解決しようとする課題】
【０００４】
しかしながら、特許文献１の技術では、プリペイドカード所有者は、ＰＩＮ番号が意図せざる配列であるので記憶することが困難である。そのため、短期間のカード所有であっても、所有者は、苦労して記憶しなければならない。
あるいは、特許文献２の技術では、ＰＩＮ認証を支払端末装置（ＰＯＳ端末）では行わずに、処理センターで行うために、支払端末装置は処理センターとネットワーク接続しなければならないという不便がある。
【０００５】
本発明は以上のような事情を解決するためになされたものであって、本発明の課題は、プリベードカードに容易で簡便に使用できるＰＩＮを設定するシステムを提供することである。
【課題を解決するための手段】
【０００６】
本発明は、以下の各態様に記載の手段により、前記課題を解決する。
すなわち、本願発明の第１の態様は、プリペイドカード（１００）にＰＩＮ(Personal Identification Number)を設定し、設定したＰＩＮを該当プリペイドカード使用者に伝えるためのプリペイドカード用ＰＩＮ設定システムであって、ＰＩＮ設定可能なプリペイドカード（１００）と共にプリペイドカード使用者に渡る印刷媒体（３００）とからなり、所定のＰＩＮを前記プリペイドカードに不可視記録するＰＩＮ設定装置（４００）と、
ＰＩＮを構成し得る文字情報と文字連想可視情報を対応付ける対応データ（４９１）を記憶する記憶手段（４０９）と、前記記憶された所定のＰＩＮを構成する文字列情報に対応する文字連想可視情報を前記印刷媒体（３００）へ印刷する印刷手段（４６０）とを備えたことを特徴とするプリペイドカード用ＰＩＮ設定システムである。
【０００７】
このように、プリペイドカードに不可視で記録されたＰＩＮの文字列は、プリペイドカード使用者に渡る印刷媒体（たとえば、プリペイドカードの包装紙）に印刷された文字連想可視情報と対応付けることができる。
【０００８】
本願発明の第２の態様は、前記文字連想可視情報は、色コードであることを特徴とする請求項１に記載のプリペイドカードＰＩＮ設定システムである。
【０００９】
本願発明の第３の態様は、前記プリペイドカードは、文字情報と文字連想可視情報が対応付けられて印刷されている
ことを特徴とする請求項１または請求項２に記載のプリペイドカードＰＩＮ設定システムである。
【発明の効果】
【００１０】
本願発明によれば、
（１）プリペイドカード（＝ギフトカード）の購入者は、記憶しやすいＰＩＮ文字列を設定してプリペイドカードの磁気媒体に記憶させて提供することが可能である。
（２）プリペイドカードにはＰＩＮが記録されているので、ＰＩＮが設定されたプリペイドカード利用者が支払端末装置（たとえば、ＰＯＳ端末装置）で支払う時に、支払端末装置単体で、容易で安価で安全に支払決済を行うことが可能である。
【発明を実施するための最良の形態】
【００１１】
以下、図面等を参照しながら、本発明の実施の形態について、更に詳しく説明する。
【００１２】
図１は、本発明によるプリペイドカードＰＩＮ設定システム１の概要を説明する図である。
プリペイドカードＰＩＮ設定システム１は、ＰＩＮ設定可能なプリペイドカード（=磁気カード）１００と、プリペイドカード利用者に渡る印刷媒体（プリペイドカードの包装紙やＰＩＮ記入票。以下、ＰＩＮ記入票）３００と、ＰＩＮ設定装置４００とから構成される。
【００１３】
ＰＩＮ設定装置４００は、コンピュータプログラムによって制御されるパーソナル・コンピュータ４４０と、カード記録部４５０と、印刷部４６０を備える。ＰＩＮ設定装置４００のコンピュータプログラムは、たとえば，Ｃ言語にて機能を追加することができる。
【００１４】
プリペイドカード１００は、磁気テープを備える。プリペイドカード１００は、文字（=数字）と文字連想可視情報（=色コード）を対応付けたコード一覧が印刷されている。
【００１５】
ＰＩＮ記入票３００は、ＰＩＮを構成する文字列情報に対応する文字連想可視情報の印刷欄を有する印刷媒体である。
【００１６】
図２は、本発明によるプリペイドカード１００の例である。
プリペイドカード１００は、磁気テープ１１０と、コード一覧１３０とを備える。
磁気テープ１１０は、ＰＩＮを記録する。
コード一覧１３０は、数字１２５と色コード１２０を対応付けて印刷された情報である。
【００１７】
なお、図２には、コード一覧１３０が例示されている。
プリペイドカード１００のコード一覧１３０の色コード１２０として、「赤色」の色コード１２０ａと、「青色」の色コード１２０ｂと、「黄色」の色コード１２０ｃと、「緑色」の色コード１２０ｄと、「橙色」の色コード１２０ｅと、「紫色」の色コード１２０ｆと、「紅色」の色コード１２０ｇと、が例示されている。
また、色コード１２０と対応付けされた数字１２５は、たとえば、「赤色」の色コード１２０ａには、数字１２５ａ「４」が対応付けされた例が示されている。同様に、「青色」の色コード１２０ｂには、数字１２５ｂ「５」、「黄色」の色コード１２０ｃには、数字１２５ｃ「１」、「緑色」の色コード１２０ｄには、数字１２５ｄ「７」、「橙色」の色コード１２０ｅには、数字１２５ｅ「９」、「紫色」の色コード１２０ｆには、数字１２５ｆ「０」、「紅色」の色コード１２０ｇには、数字１２５ｇ「２」がそれぞれ対応付けさた例が示されている。
【００１８】
図３はＰＩＮ設定装置４００の詳細な構成図である。
ＰＩＮ設定装置４００は、ＣＰＵ４０１と、印刷部４６０と、カード記録部４５０と、入力部４０６と、表示部４０４と、メモリ（=記憶手段）４０９と、専用プログラムを備える。
【００１９】
印刷部４６０は、レーザープリンタやインクジェットップリンタである。カード記録部４５０は、カードライターである。入力部４０６は、マウスやキーボードである。表示部４０４は、ＬＣＤやＥＬである。
メモリ４０９は、半導体メモリや磁気メモリである。
メモリ４０９は、数字と色コードとの対応データ４９１を記憶する。
【００２０】
専用プログラムは、ＰＩＮ受付記録手段４１０と、文字連想順番情報印刷手段４２０とから構成される。
【００２１】
ＰＩＮ受付記録手段４１０は、入力された文字列（=数字列）をＰＩＮとして受け付けて、プリペイドカード１００に、記録する。
文字連想順番情報印刷手段４２０は、ＰＩＮ数字列中の数字を選択して、対応データを参照して、数字に対応する文字連想可視情報を抽出して、選択した数字のＰＩＮ数字列中の順番情報を関連付けて、ＰＩＮ記入票３００に印刷する。
【００２２】
図４は、ＰＩＮ受付画面の例である。
ＰＩＮ受付画面４０４ａは、入力された数字列を表示するＰＩＮ表示部４０４ｂと登録ボタン部４０４ｃとから構成される。
ＰＩＮ設定者が入力部４０６からＰＩＮの数字列を入力すると、入力された数字列は、ＰＩＮ表示部４０４ｂに表示される。
ＰＩＮ設定者が登録ボタン部４０４ｃを選択すると、ＰＩＮ表示部４０４ｂの数字列はＰＩＮとしてプリペイドカード１００に記録される。
【００２３】
図５は、対応データ４９１の形式と例である。
対応データ４９１は、色コード４９１ａと数字４９１ｂとが対応付けられている。
色コード４９１ａは、コードの色情報である。
数字４９１ｂは、色コードの順番情報である。
【００２４】
図５には、対応データ４９１が例示されている。
たとえば、「黄色」色コード４９１ａと数字４９１ｂ「１」とが対応付けられている。
同様に、色コード４９１ａ「紅色」と数字４９１ｂ「２」とが対応付けられて、色コード４９１ａ「赤色」と数字４９１ｂ「２」とが対応付けられて、色コード４９１ａ「青色」と数字４９１ｂ「４」とが対応付けられて、色コード４９１ａ「紅色」と数字４９１ｂ「５」とが対応付けられて、色コード４９１ａ「緑色」と数字４９１ｂ「７」とが対応付けられて、色コード４９１ａ「橙色」と数字４９１ｂ「９」とが対応付けられて、色コード４９１ａ「紫色」と数字４９１ｂ「０」とが対応付けられている。
【００２５】
図６は、ＰＩＮ記入票３００の例である。
ＰＩＮ記入票３００は、順番情報３０５を関連付けた色コード３１０を印刷した媒体である。
順番情報３０５の昇順に並べた色コード列は、プリペイドカードのコード一覧１３０の対応した数字列がＰＩＮであることを意味している。
【００２６】
図６には、ＰＩＮ記入票３００が例示されている。
たとえば、順番情報３０５「２」を関連付けた「青色」の色コード３１０ｂが例示されている。
あるいは、順番情報３０５「１」を関連付けた「橙色」の色コード３１０ｅが例示されている。
そのほかには、順番情報３０５「空白」を関連付けた色コード３１０ａ「赤色」や色コード３１０ｃ「黄色」、色コード３１０ｄ「緑色」、色コード３１０ｆ「紫色」、色コード３１０ｇ「紅色」、の情報３１０などが例示されている。
【００２７】
従って、順番情報３０５の昇順に並べた色コード列「橙色」「青色」は、プリペイドカードのコード一覧１３０を参照して対応する数字列を抽出することで、ＰＩＮを求めることができる。
【００２８】
図７は、ＰＩＮ設定処理の流れを説明する。
ＰＩＮ設定装置４００のＰＩＮ受付記録手段４１０は、ＰＩＮ設定者が入力部４０６から入力した数字列「７５」をＰＩＮ受付画面４０４ａのＰＩＮ表示部４０４ｂに表示させて、ＰＩＮ設定者が登録ボタン部４０４ｃを選択すると、ＰＩＮとして受け付ける（図７（１））。
ＰＩＮ受付記録手段４１０は、受け付けたＰＩＮをプリペイドカード１００の磁気テープ１１０に、記録する（同（２））。
【００２９】
文字連想順番情報印刷手段４２０は、ＰＩＮ数字列「７５」中の１番目の数字「７」を選択して、対応データ４９１を参照して、数字「７」に対応する色コード「緑色」を抽出して、選択した数字のＰＩＮ数字列中の順番情報「１」を関連付ける。同様に、ＰＩＮ数字列「７５」中の２番目の数字「５」を選択して、対応データ４９１を参照して、数字「２」に対応する色コード「青色」を抽出して、選択した数字のＰＩＮ数字列中の順番情報「２１」を関連付ける（同（３））。
【００３０】
文字連想順番情報印刷手段４２０は、ＰＩＮ数字列中の順番情報を関連付けた色コード３１０を作成して、ＰＩＮ記入票３００に印刷する（同（４））。
【００３１】
なお、ＰＩＮ数字列に対応していない色コードは、印刷しなくてもよい。
【００３２】
（実施例１）
次に、実施例を説明する。
【００３３】
図８は、封印シールを用いたプリペイドカード１００の例である。
プリペイドカード１００は、コード一覧１３０を封印シールで覆っている。
封印シールは、一旦剥がすと再びは被覆できないシールである。
封印シールで覆ったプリペイドカード１００を用いることによって、正規の所有者が使用する前に、ＰＩＮを盗み見したが否かを知ることができる。
【００３４】
あるいは、封印シールは、一旦剥がすと「開封済み」のような文字が浮き上がるシールを用いてもよい。
【００３５】
あるいは、封印シールの代わりに、スクラッチインキを用いても、同様の効果を得ることが出来る。
【図面の簡単な説明】
【００３６】
【図１】本発明によるプリペイドカードＰＩＮ設定システムの概要
【図２】本発明によるＰＩＮを用いるプリペイドカードの例
【図３】ＰＩＮ設定装置４００の詳細な構成図
【図４】ＰＩＮ受付画面
【図５】対応データ
【図６】ＰＩＮ記入票
【図７】ＰＩＮ設定処理の流れ
【図８】（実施例１）封印シールを用いる贈答用プリペイドカード
【符号の説明】
【００３７】
１  プリペイドカードＰＩＮ設定システム
１００  プリペイドカード、磁気カード
１１０  磁気テープ
１２０  文字連想可視情報、色コード
１２５  数字
１３０  コード一覧
３００  プリペイドカード利用者に渡る印刷媒体、ＰＩＮ記入票
３０５  順番情報
３１０  色コード
４００  ＰＩＮ設定装置
４１０  ＰＩＮ受付記録手段
４２０  文字連想順番情報印刷手段
４６０  印刷部
４５０  カード記録部
４９１  対応データ
４９１ａ  色コード
４９１ｂ  数字
【図１】
2009059012.tif 000003
【図２】
2009059012.tif 000004
【図３】
2009059012.tif 000005
【図４】
2009059012.tif 000006
【図５】
2009059012.tif 000007
【図６】
2009059012.tif 000008
【図７】
2009059012.tif 000009
【図８】
2009059012.tif 000010